(57)【特許請求の範囲】
【請求項１】
落し穴を覆うように敷設する踏板１と、
一端を地上で固定し他端に落し穴の周りに敷設する括り輪２を形成する括りワイヤ３と、
括り輪２を上方へ跳ね上げるバネ４からなる跳上げアーム４１とを備え、
跳上げアーム４１の先端部にワイヤ３を移動可能に通す括りワイヤ通し輪１３を取付け、バネ４の基アーム４２の先は折り曲げて地面に挿入してバネ４を固定する杭５を形成し、跳上げアーム４１を閉じ位置に係止する係止装置７を設け、
その係止装置７の係止を解くＬ字形状の引き金８を杭５に取付けた台座６に固定金９により回転自由な状態で取付け、引き金８のＬ字形状の一辺で踏板１を受け、引き金８のＬ字形状の他の一片で係止装置７を係止し、
括りワイヤ３の途中を基アーム４２に分離可能に固定し、踏板１を踏んだ時に、
引き金８が回転することで引き金８による係止装置７の係止が解かれ、係止装置７による跳上げアーム４１の係止が解かれて、跳上げアーム４１及び括り輪２が上方へ跳ね上がるように構成した括り罠。
【請求項２】
引き金８を台座６に回転自由な状態で固定する固定金９が複数個であることを特徴とする請求項１記載の括り罠。
【請求項３】
引き金８の踏板１を受けるＬ字形状の一辺に、Ｌ字の角部から離れた位置に突起９を設けた請求項１又は２に記載の括り罠。
【請求項４】
所定以上の荷重が引き金８に掛かるまで引き金８の回転を係止する回転ストッパー１７で、引き金８を台座６に固定した請求項１から３いずれかに記載の括り罠。
【請求項５】
台座１６は四角枠とし、その一辺に引き金８を回転自由な状態で固定金９で固定し、
引き金８と引き金８に対向する他辺とで踏板１を受け、踏板１を踏んだ時に引き金８を作動させるようにした請求項１から４いずれかに記載の括り罠。
【発明の詳細な説明】
【技術分野】
【０００１】
本発明は猪、鹿、その他の野性動物を捕獲するために使用する括り罠に関するものである。
【背景技術】
【０００２】
括り罠は主として猪、鹿等の野生動物を捕獲するために仕掛ける罠の一種で、足首を括りワイヤで括って捕獲する狩猟罠である。従来の括り罠は、獣道に掘った落し穴の開口部に踏板を被せて、その踏板の周囲に括りワイヤの一端に形成した括り輪を置き、それらの上に落ち葉や土砂等を被せて罠を覆い隠しておく。そして、バネの跳上げアームを係止具で固定し、バネの基アームを地上に固定してある。猪等が踏板を踏み、足が落し穴に落ちると、同時に、跳上げアームが係止具から外れて括りワイヤを上方へ跳ね上げ、括り輪で足を絞って抜けないようにする。前記括りワイヤの他端は地表の立木等に縛っておき、足を括られた猪等が暴れて地上に固定した括り罠が外れても、猪等が逃げたり括りワイヤが解けたりしないようにしてある。
【先行技術文献】
【特許文献】
【０００３】
【特許文献１】特開２０００−１２５７４３
【特許文献２】特開２００１−１１２３９９
【発明の概要】
【発明が解決しようとする課題】
【０００４】
従来の括り罠は地表に固定されるバネや係止具と括りワイヤとが一体に組み合わされていたので、猪等が括りワイヤに掛かって暴れると、括り罠が壊されることがあった。また、括り罠を設置するのに、２０〜３０ｃｍの深い落し穴を必要とした上、括り罠は地表に固定し落ち葉や土砂等を被せて罠を覆い隠しておくため、設置工数が大きく、排出される土も多く、廃土等から猪等に感づかれ易く、また、罠の設置に長時間を要していたので人の匂いが周辺に付着し、猪等が警戒して罠に近寄らなくなるという不具合があった。
また、踏板を受け、係止具を動作させる引き金が１点で台座に取り付けられているため、踏板が傾いたり、引き金の動作が安定せず不安定であった。さらに、小動物や猪等の子供が踏板を踏んでも引き金が外れ、動物の大きさに関係なく捕獲対象外の小動物や猪等の子供をも捕獲してしまう事があった。
【課題を解決するための手段】
【０００５】
上記した課題に鑑み、本発明は地表に固定されるバネや引き金等と括りワイヤとが、猪等が括りワイヤに掛かって暴れると括り罠が括りワイヤから外れ、罠の構造が非常に簡単なものと成っているので壊れにくく、落し穴は踏み板から下の深さが１〜２ｃｍ程度の極浅いもので良く、括り罠の固定はバネの基アームの先を折り曲げた杭を地面に差し込むだけ短時間で設置でき、罠の設置が猪に感づかれ難いものとしている。
また、踏板の設置や、引き金の動作も安定しており、小動物や猪等の子供が踏板を踏んでも引き金が外れ難い構造としている。
【０００６】
本発明の請求工１の括り罠は、落し穴を覆うように敷設する踏板１と、一端を地上で固定し他端に括り輪２を形成し落し穴の周りに敷設する括りワイヤ３、および、括り輪２を上方へ跳ね上げるためのバネ４からなる跳上げアーム４１を備え、前記バネ４の基アーム４２の先端は折り曲げて地面に挿入して固定する杭５を形成し、跳上げアーム４１を閉じ位置に係止する係止装置７と、その係止装置７の係止を解く断面がＬ字形状でその一辺に係止装置７を係止する穴を有し、他の一辺は踏板１を受け、杭５に取付けた台座６にL字形状の角部を回転自由な固定金９で取付られている引き金８を設け、前記括りワイヤ３は前記バネ４の基アーム４２に分離可能に固定し、前記跳上げアーム４１の先端部に括りワイヤ通し輪１３でワイヤ３を移動可能に通し、踏板１は引き金８と落し穴の地表の２箇所で支え、踏板１を踏んだ時に引き金８を作動させるようにした括り罠を提供するものである。
【０００７】
本発明の請求工２の括り罠は、引き金８を台座６に固定する回転自由な固定金９を複数個としている。
このため、引き金８が安定して水平を保つため、踏板１が傾いたり、引き金８の動作が不安定になる事は無く、確実に獲物を捕獲できる。
【０００８】
本発明の請求工３の括り罠は、引き金８の踏板１を受けるＬ字形状の一辺に、Ｌ字形状の角部から離れた位置に、踏板１止め用の突起１１を設けている。
このため、踏板１を引き金８への取付けるとき、引き金８の角方向への移動が突起１１で確実にとめられるため、踏板１の取付位置は常に一定位置へ取付けることが出来るため、踏板１への荷重に対して、引き金８の動作モーメントが常に安定したものとなり、確実に獲物を捕獲できる。
【０００９】
本発明の請求工４の括り罠は、Ｌ字形状の引き金８のピン孔１９を有する一辺を、所定の荷重が引き金８に掛かるまで引き金８の回転を係止する回転ストッパー１７で台座６に固定している。
このため、回転ストッパー１７は材料、板厚、幅、取り付け個数を調整することにより、引き金８が動作する荷重を調整することが出来る。すなわち、曲げ強度の強い材料、板厚を厚く、幅を広く、個数を多くすれば、動作荷重を重くすることが出来る、このため、小動物や猪等の子供が踏板１を踏んでも引き金８が回転しないように調整することが出来、捕獲対象外の小動物や猪等の子供を捕獲する事を防止できる。
【００１０】
本発明の請求工５の括り罠は、台座３６は四角枠とし、その一辺に引き金８の角部を回転自由な固定金９で固定し、引き金８と引き金８に対向する他辺の２箇所で踏板３７を受け、四角枠の中の穴を塞ぐようにしている。
このため、引き金８と踏板３７は常に水平を保って設置することが出来、括り罠の設置者の技量の上手、下手なく罠を設置する事ができる。
【発明の効果】
【００１１】
本発明によれば、猪等が括りワイヤ３に繋がれて暴れても、台座６や跳上げアーム４１は括りワイヤ３から外れるようにしてあり、また、構造が非常に単純に作られているので、猪等によって括り罠が壊される事は無くなる。
また、括り罠を設置するのに落し穴は深いものを必要としなし、括り罠の構造も簡単で、罠の設置に長時間を要し無いので人の匂いが周辺に付着することも少なく、排出される土も少なく、廃土等から猪等に感づかれ難く、猪等が警戒せず罠に近寄り易くなっている。
また、引き金８が複数点で台座６に係止されているため、引き金６のぐらつきが無く、踏板１の何処を踏んでも引き金８が正確に動作し、その動作も安定している。さらに、引き金８と台座６を係止している固定ストッパー１７の強度や取り付け個数を調整することにより、捕獲対象外の小動物や猪等の子供を捕獲する事無く、捕獲対象の動物のみを捕獲することができる。
【図面の簡単な説明】
【００１２】
【図１】本願発明の一実施態様を示す括り罠の平面図（ａ）および正面図（ｂ）である。
【図２】括り罠の要部をなす台座６、引き金８等を示す斜視図である。
【図３】杭５の台座６への取付部を示す部分平面図（ａ）と側面図（ｂ）である。
【図４】回転ストッパー１７の一例（ａ）他の回転ストッパー１１８を示す斜視図（ｂ）である。
【図５】係止金具を示す斜視図である。
【図６】跳上げアーム４１の先端部を示す正面図（ａ）と側面図（ｂ）である。
【図７】係止装置７の取り付け状態を示す部分平面図（ａ）と側面断面図（ｂ）である。
【図８】四角枠の台座３６、引き金８、踏板３７の組合せ図の一例である。
【発明を実施するための形態】
【００１３】
次に、本発明を実施するための形態について、図面を参照しながら括り罠の例を説明する。ただし、以下に示す実施例は、本発明の技術思想を具体化するための括り罠の例を示すものであって、以下のものに特定するものでない。
【実施例】
【００１４】
図１において、この発明に係る括り罠１００である。この括り罠１００は各部が猪等を狩るのに極めて簡単、丈夫で且つ最適な構造をしている。括り罠１００は地上に２５ｃｍ角、深さ５ｃｍ程度の落し穴を堀り、その上に置かれる踏板１と、踏板１の周りに敷設する括り輪２を設けた括りワイヤ３、および、前記括り輪２を瞬時に上方へ跳ね上げるための跳上げアーム４１、踏板１の一方を支持する引き金８を取付けた台座６等から構成されている。
【００１５】
踏板１は６ｍｍ程度の木材板の一端に厚さ１５ｍｍ、幅３０ｍｍ程度の角材を打ち付けたものや数ミリ程度の金属板等で作っている。踏板１の奥行き寸法は落し穴寸法より数cm小さくして、猪等が踏板１を踏んだとき、確実に片端が落し穴に落ち込むようにしている。
踏板１の他端は落し穴の上面に置いたとき、地表の水平度を出来るだけ気にせずに設置できるように、両角を落として辺の長さを短くしてある。
バネ４は直径６ｍｍ程度の１本の鋼線からなる素線で、この鋼線をバネ強度を増強するため複数回巻回して作られたコイルバネからなり、その一端には跳上げアーム４１を、他端には基アーム４２、その先に同一素線を直角に折り曲げた杭５を有する。跳上げアーム４１の開放状態の時は、基アーム４２との開き角度は約１２０度にしている。
【００１６】
図２に示すように、台座６は厚さ１５ｍｍ、幅４０ｍｍで長さが２５０ｍｍ程度の木材で作られており、断面がＬ型形状の引き金８の角部を回転自在の固定金９で、台座６の上端とL型の引き金８の上端を揃えるようにして前記台座６に固定する。台座６の中央部には、係止装置７を取付けるH字状の溝２０を設けてある。
Ｌ型形状の引き金８の一辺の長さ方向の中央部には、台座６に取り付けた係止装置７の係止ピン２２を通して係止するピン孔１９が開けてある。
回転ストッパー１７で引き金８と台座６の上端部を挟み込み、引き金８に大きな荷重がかかり引き金８に回転モーメントが働いたとき、回転ストッパー１７が外れて、引き金８が回転自在な固定金９を中心にして下方に回転する。
【００１７】
図４ａに回転ストッパー１７を示す。ほぼ角の尖ったＵ字形状をしており、金属板やプラスチック成形品で作られており、厚さは０．１〜１ｍｍ程度、幅は１０〜２０ｍｍ程度、深さは浅い方で５〜１０ｍｍ程度、深い方は１０〜２０ｍｍ程である。溝幅は台座６と引き金８の厚さを加算した厚さとほぼ同じで、回転ストッパー１７を差し込んだとき、容易に落ちない溝幅としている。
また、形状を図４ｂに示すように、Ｕ字の底部を丸みを持たせ円弧の回転ストッパー１１８としても良い。
【００１８】
図５に係止装置７を構成する部品である係止軸２１、係止ピン２２を示す。係止軸２１、係止ピン２２は直径２ｍｍ程度の鋼線で作ってある。係止軸２１はU字形状をしており、その両端は台座６に打ち込み易くするため先鋭にしてある、係止ピン２２は一端に係止軸２１の直径より少し大きい内径に作られた円形部を持ち、残りの他の部分は直線状である。係止ピン２２の円形部に係止軸２１を通し回転自在としており、係止軸２１は台座６に設けたH字状の溝２０の一辺側に打ち込み、係止ピン２２の直線部がH字型の溝２０の中央の一辺内を自由に動けるように取り付ける。
H字状の溝２０を設けたのと同一面の両端には、括り輪２の形状が踏板１に対して適正な形状を保つように、アルミの針金で作った括り輪ガイド金１２を取り付けてある。
【００１９】
図６に示すように、跳上げアーム４１の先端は扁平に成形し、２ｍｍ程度の穴を２つ開けてある。先端の穴は跳上げアーム４１を係止する係止輪２３を通す穴、残りの１つの穴は括りワイヤ取し輪１３を取付ける孔で、括りワイヤ通し輪１３の内径は括りワイヤ３の外形よりも大きくしてあり、この括りワイヤ取し輪１３に括りワイヤ３を通したとき括りワイヤ３が自由に動けるようにしてある。括りワイヤ取し輪１３と括りワイヤ３の滑りを良くするために、括りワイヤ通し輪１３にチューブ等を被せる事もある。括りワイヤ通し輪１３は輪の一箇所が切れており、猪等が暴れた場合に括りワイヤ通し輪１３が開き、括りワイヤ３と跳ね上げアーム４１が外れるようにしている。
【００２０】
係止輪２３は、直径１．５ｍｍ程度のステンレス針金で三角形状の輪を形成している。跳上げアーム４１の係止装置７を構成する係止ピン２２は跳上げアーム４１側に取付けた係止輪２３を通し、台座６に設けられたH字状の溝２０に落し込み、直線状の先端を引き金８に開けたピン孔１９に通して、係止軸２１と引き金８とで跳上げアーム４１を係止する。
【００２１】
括りワイヤ３は、外径が３〜６ｍｍ程度で細い撚り鋼線からなっており、その一端を地上に立てた立木等に固定し、他端を落し穴の周りに敷設する括り輪２を形成している。括りワイヤ３は、立木等に固定した一端から括り輪２に至るまでの途中で、基アーム４２にワイヤ固定部１４で固定、その次に跳上げアーム４１の先端に設けた括りワイヤ取し輪１３を通し、括り輪２に至っている。ワイヤ固定部１４は、括りワイヤ３と基アーム４２を３ｍｍ程度のアルミ線で巻き付けて構成しており、足を括られた猪等が暴れた場合にワイヤ固定部１４の固定が解かれ、括りワイヤ３と基アーム４２が外れるようにしている。
【００２２】
跳上げアーム４１を蓄勢して係止装置７で係止する前に、蓄勢位置に圧縮された状態で押え金具１５で係止されている。押え金具１５は一端が基アーム４２に回動可能に取り付けられており、他端は円弧状に折り曲げたフックとし跳上げアーム４１に引っ掛けられている。
この押え金具１５は、罠の設置作業中等に不用意に跳上げアーム４１が動作して作業者が負傷しないよう、跳上げアーム４１を借り止めする。
【００２３】
図８に示すように台座６を四角枠の台座３６とし、その一辺に引き金８の角部を回転自由な固定金９で固定し、引き金８と引き金８に対向する他辺の２箇所で踏板３７を受ける、四角枠の中の穴を塞ぐようにしもよい。こうすることにより、引き金８と踏板３７は常に水平を保って設置することが出来、括り罠の設置がいっそう容易になる。この場合、踏板３７は四角の板でも良い。
【００２４】
括り罠１００は、獣道に掘った落し穴の開口部に踏板１を被せて、その踏板１の周囲に括りワイヤ３の一端に形成した括り輪２を置き、それらの上に落ち葉や土砂等を被せて罠を覆い隠して設置する。そして、バネ４の跳上げアーム４１を係止装置７で固定し、バネ４の基アーム４２、台座６等を杭５で地上に固定する。
【００２５】
次に、括り罠１００の動作を説明する。猪等が落し穴を覆うように設置した踏板１を踏むと、図１に矢印で示す踏板１への荷重となり、踏板１を支持している引き金８側の踏板１が図１に矢印で示すように下方へ左回転し、同時に引き金８も同じく図１に矢印で示すように右回転する。引き金８が回転すると跳上げアーム４１の係止装置７の係止が外れ、跳上げアーム４１が跳ね上がる。括りワイヤ３はワイヤ固定部１４で基アーム４２に固定され、跳上げアーム４１の先端部で括りワイヤ通し輪１３に通されているので、括りワイヤ３に繋がれた括り輪２を上方へ引き上げる。その結果、前記括り輪２が猪等の足を掛けた
まま上方へ引き上げると同時に括り輪２を足の太さまで締める。よって、猪等の足が引っかかり、猪等のように有蹄動物は足首の太さよりもヒズメが大きいため、足が括り輪２から抜けなくなる。
括りワイヤ３と跳上げアーム４１、基アーム４２とは括りワイヤ固定部１４、括りワイヤ通し輪１３で接合されているが、括りワイヤ固定部１４、括りワイヤ通し輪１３とも分離可能なので、猪等が暴れると跳上げアーム４１、基アーム４２は括りワイヤ３から外れ、猪等がこれらを引きずることがないので括り罠が壊されることは無く、また、猪等を傷つけることも無くなる。
括りワイヤ３の他端は立木に固定されているので、猪等が暴れても外れることはない。
【産業上の利用可能性】
【００２６】
本発明の獣捕獲用括り罠は、猪や鹿等の野生動物を捕獲するための仕掛罠で、特に有蹄動物の捕獲に有用で、猟犬などは掛かることがなく、確実に目的とする獣の脚を括って捕らえることが可能であり、猟銃などが使えない場所でも使用できる。
【符号の説明】
【００２７】
１  踏板
２  括り輪
３  括りワイヤ
４  バネ
５  杭
６  台座
７  係止装置
８  引き金
９  回転自在な固定金
１１  突起
１２  括り輪ガイド金
１３  括りワイヤ通し輪
１４  ワイヤ固定部
１５  押え金具
１６  杭取付金
１７  回転ストッパー
１９  ピン孔
２０  Ｈ字状の溝
２１  係止軸
２２  係止ピン
２３  係止輪
３０  杭受け金
３１  杭押え金
３２  ナベ小ねじ
３３  蝶ナット
３４  サラ小ねじ
３５  ナット
３６  四角枠の台座
３７  踏板
４１  跳上げアーム
４２  基アーム
１００  括り罠
１１８  回転ストッパー
【図１】
0005866574.tif 000002
【図２】
0005866574.tif 000003
【図３】
0005866574.tif 000004
【図４】
0005866574.tif 000005
【図５】
0005866574.tif 000006
【図６】
0005866574.tif 000007
【図７】
0005866574.tif 000008
【図８】
0005866574.tif 000009